(57)【要約】【課題】先端部分の被覆材が剥かれたコード及び被覆材が剥かれていないコードのどちらについても特に加工することなく適切に接続することのできる端子を提供することである。【解決手段】基台１１と、押え板１２と、押え板１２を基台１１上に押し付ける押圧部材１３とを有し、押圧部材１３により基台１１に押し付けられる押え板１２によってコード５０ｂを基台１１に圧着させるようにした端子１０ｂであって、基台１１は、コード５０ｂの圧着面１１ａの所定部分に所定方向に延びるように形成された切欠部１４を有し、切欠部１４は、コード５０ｂが納められる際にコード５０の被覆材を切裂く刃片電極部１５が形成されている構成となる。【選択図】図６
2007165241.tif 000002
【特許請求の範囲】
【請求項１】
基台と、押え板と、該押え板を基台上に押し付ける押圧部材とを有し、前記押圧部材により前記基台に押し付けられる前記押え板によってコードを前記基台に圧着させるようにした端子であって、
前記基台は、前記コードの圧着面の所定部分に所定方向に延びるように形成された切欠部を有し、
該切欠部は、前記コードが納められる際に該コードの被覆材を切裂く刃片電極部が形成されていることを特徴とする配線機器。
【請求項２】
前記切欠部には、前記コードを保持する凹溝が形成されたことを特徴とする請求項１記載の配線機器。
【請求項３】
請求項１または２記載のいずれかに記載された端子と、
前記端子に電気的に接続される回路部品が収納されるケース体とを有する機器。
【請求項４】
前記端子は、前記ケース体の端部に設けられると共に、該端子の前記切欠部は、前記ケース体に向かって延びるように形成され、
前記ケース体の前記端子に隣接する所定領域は、前記端子に圧着されるべきコードの先端に設けられたコネクタ部品が配置されるべきスペースとして確保されていることを特徴とする請求項３記載の機器。
【発明の詳細な説明】
【技術分野】
【０００１】
本発明は、配線コードが圧着される端子及びそのような端子を備えた機器に関する。
【背景技術】
【０００２】
従来、配線コードの被覆材を予め剥かなくてもその芯線を電気的に接続することのできる端子が提案されている（例えば、特許文献１）。この従来の端子は、金属製板材に切欠溝が形成され、その切欠溝の開放端縁に突起が形成された構造となっている。そして、配線コードを前記切欠溝に圧入する際に前記突起が配線コードの被覆材に食い込んで該被覆材が切り裂かれることよりその芯線が前記切欠溝の内側縁（金属製板材）に接触し、配線コードの芯線と端子（金属製板材）とが電気的に接続される。このような端子によれば、わざわざ配線コードの被覆材を剥かなくても配線コードを端子に電気的に接続することができるので、配線コードの接続作業の作業性が向上する。
【特許文献１】実開平５−１５３２７号公報
【発明の開示】
【発明が解決しようとする課題】
【０００３】
しかしながら、前述した従来の端子では、先端部分の被覆材が既に剥かれた配線コードを接続する場合であっても被覆材の部分を前記切欠溝に圧入しなければならない。このため、先端部分の被覆材が既に剥かれた配線コードを接続する場合、端子に接続される配線コードの実質的な長さが短くなってしまい、機器から延びてくる配線コードの引き回しが制限されてしまう可能性がある。
【０００４】
本発明は、このような従来の問題を解決するためになされたもので、先端部分の被覆材が剥かれたコード及び被覆材が剥かれていないコードのどちらについても特に加工することなく適切に接続することのできる端子及びそのような端子を備えた機器を提供するものである。
【課題を解決するための手段】
【０００５】
本発明に係る端子は、基台と、押え板と、該押え板を基台上に押し付ける押圧部材とを有し、前記押圧部材により前記基台に押し付けられる前記押え板によってコードを前記基台に圧着させるようにした端子であって、前記基台は、前記コードの圧着面の所定部分に所定方向に延びるように形成された切欠部を有し、該切欠部は、前記コードが納められる際に該コードの被覆材を切裂く刃片電極部が形成されている構成となる。
【０００６】
このような構成により、被覆材が剥かれていないコードを接続する場合、そのコードを基台におけるコードの圧着面の所定部分に形成された切欠部にセットした状態で、押圧部材によって押え板を基台に押し付けることにより、前記コードが前記切欠部に納められるようになる。その際、前記コードの被覆材が刃片電極部によって切裂かれ、被覆材内の導電材（芯線）が刃片電極部に接触し得るようになる。また、先端部分の被覆材が既に剥かれて導電材の露出したコードを接続する場合、そのコードの先端部分を基台における前記圧着面の切欠部が形成された所定部分以外の部分にセットした状態で、押圧部材によって押さえ板を基台に押し付けることにより、その先端部分（導電材の露出部分）が基台に圧着される。
【０００７】
また、本発明に係る端子において、前記切欠部には、前記コードを保持する凹溝が形成された構成とすることができる。
【０００８】
このような構成により、被覆材が剥かれていないコードを接続する場合に、そのコードの表面部分が切欠部の凹溝にて保持されるようになり、刃片電極部が切欠部に納められた被覆材をより確実に切裂くことができるようになる。
【０００９】
本発明に係る機器は、前述したいずれかの端子と、前記端子に電気的に接続される回路部品が収納されるケース体とを有する構成となる。
【００１０】
このような構成により、先端部分の被覆材が剥かれたコード及び被覆材が剥かれていないコードのいずれでも前述したように端子に接続することにより、該コードがケース体に収納された回路部品に電気的に接続されるようになる。
【００１１】
また、本発明に係る機器において、前記端子は、前記ケース体の端部に設けられると共に、該端子の前記切欠部は、前記ケース体に向かって延びるように形成され、前記ケース体の前記端子に隣接する所定領域は、前記端子に圧着されるべきコードの先端に設けられたコネクタ部品が配置されるべきスペースとして確保されている構成とすることができる。
【００１２】
このような構成により、被覆材が剥かれることなく先端にコネクタ部品の設けられたコードの前記被覆材の部分を切欠部にセットした状態で、押圧部材によって押え板を基台に押し付けることにより、前記コードの被覆材が刃片電極部によって切裂かれ、被覆材内の導電材（芯線）が刃片電極部に接触すると共に、その先端のコネクタ部品がケース体の前記端子に隣接する所定領域に配置され得るようになる。従って、先端にコネクタ部品の設けられたコードについても特に加工することなく適切に前記端子に接続することができるようになる。
【発明の効果】
【００１３】
本発明によれば、被覆材が剥かれていないコードについては、そのコードを基台におけるコードの圧着面に形成された切欠部にセットした状態で、また、先端部分の被覆材が既に剥かれて導電材の露出したコードについては、そのコードの先端部分を基台における前記圧着面の切欠部が形成された部分以外の部分にセットした状態で、それぞれ押圧部材によって押え板を基台に押し付けることにより、端子に対する接続が可能になるので、先端部分の被覆材が剥かれたコード及び被覆材が剥かれていないコードのどちらについても特に加工することなく適切に接続することができるようになる。
【発明を実施するための最良の形態】
【００１４】
以下、本発明の実施の形態について、図面を用いて説明する。
【００１５】
本発明に実施の一形態に係る機器は、図１及び図２に示すように構成されている。この機器は、車両に搭載され、オーディオ装置本体から延びる配線コードと、複数のスピーカのそれぞれから延びる配線コードとが接続され、オーディオ装置本体からのオーディオ信号を複数のスピーカに分配出力するためのネットワーク装置である。
【００１６】
図１において、このネットワーク装置（機器）１００は、ケース体１１０、ケース体１１０の一方の端部にてヒンジ結合されて開閉自在となる蓋体１２０、及びケース体１１０の前記蓋体１２０がヒンジ結合される端部と逆側の端部に設けられた端子台１３０を有している。端子台１３０は、オーディオ装置本体からの配線コードを接続するための入力端子１０ａ、１０ｂ、中・低音用のスピーカから延びる配線コードを接続するための出力端子２０ａ、２０ｂ、及び高音用のスピーカから延びる配線コードを接続するための出力端子２０ｃ、２０ｄが一列に配列された構造となっている。
【００１７】
ケース体１１０内には、図２に示すように、基板１１１が収納され、その基板１１１には、プリント配線（図示略）が形成され、高音用のスピーカ及び中・低音用のスピーカにオーディオ信号を分配するための複数の回路部品Ｄ１、Ｄ２、Ｄ３、Ｄ４、Ｄ５、Ｄ６が前記プリント配線に接続されるように固定されている。なお、図示されていないが、基板１１１の前記プリント配線における信号入力に係るラインが各入力端子１０ａ、１０ｂに電気的に接続されており、また、前記プリント配線における信号出力に係るラインが各出力端子２０ａ、２０ｂ、２０ｃ、２０ｄに電気的に接続されている。
【００１８】
基板１１１の入力端子１０ａ、１０ｃに隣接する部分が切り欠かれている。この基板１１１の切り欠きによって形成されるケース体１１０内のスペース１１２は、後述するように、入力端子１０ａ、１０ｂに接続された配線コードの先端に設けられたコネクタ部品を配置するために利用することができる。ケース体１１０のスペース１１２には一対の孔１１３ａ、１１３ｂが形成されている。この一対の孔１１３ａ、１１３ｂは、後述するように、スペース１１２に配置されたコネクタ部品を固定するためのバンドを通す孔として利用される。
【００１９】
端子台１３０は、図３に示すように構成されている。
【００２０】
絶縁材料にて形成された端板３１、３２がケース本体１１０に所定の間隔をもって立設されており、その端板３１と３２との間に入力端子１０ａ、１０ｂ及び出力端子２０ａ、２０ｂ、２０ｃ、２０ｄ、２０ｄが一列に配列されている。各端子（入力端子及び出力端子）１０ａ、１０ｂ、２０ａ、２０ｂ、２０ｃ、２０ｄは、ケース体１１０に立設され、絶縁材料にて形成された端子仕切り板３３、３４、３５、３６、３７にて仕切られている。
【００２１】
各入力端子１０ａ、１０ｂは、それぞれ金属製となる基台１１、押え板１２及びネジ１３（押圧部材）から構成されている。基台１１がケース体１１０に固定されて前述したように基板１１１のプリント配線における信号入力に係るラインに電気的に接続されている。ネジ１３の頭部と基台１１との間に押え板１２が配置され、ネジ１３を締め付けることにより押え板１２が基台１１に押し付けられるようになっている。
【００２２】
各出力端子２０ａ〜２０ｄもまた、各入力端子１０ａ、１０ｂと同様に、それぞれ金属製となる基台２１、押え板２２及びネジ２３から構成され、基台２１がケース体１１０に固定されて基板１１１のプリント配線における信号出力に係るラインに電気的に接続されている。そして、ネジ２３の頭部と基台２１との間に押え板２２が配置され、ネジ２３を締め付けることにより押え板２２が基台２１に押し付けられるようになっている。
【００２３】
各入力端子１０ａ、１０ｂの詳細な構造が図４に示されている。なお、図４は入力端子１０ｂの構造を示しているが、入力端子１０ａも同様の構造となっている。
【００２４】
図４において、基台１１の端子仕切り板３３に隣接する角部がコードの圧着面１１ａから端子仕切り板３３に接する側面に向かって斜めに切り欠かれ、端子仕切り板３３に沿って延びる切欠部１４が形成されている。更に、図４におけるＡ部の詳細図となる図５に示すように、切欠部１４の前方端部（ケース体１１０内の基板１１１向かう側と逆側の端部）には、切欠部１４の斜面から突出する刃片電極部１５が形成されている。また、切欠部１４の斜面の略中央部には端子仕切り板３３に沿う方向に凹溝１６が形成されている。
【００２５】
被覆材が剥かれていない配線コードは、次のようにして入力端子１０ｂに接続される。
【００２６】
まず、図６（ａ）に示すように、配線コード５０ｂが切欠部１４にセットされる。この状態で、ネジ１３を締め付けて押え板１２を基台１１の圧着面１１ａに押し付けると、押え板１２によって押さえ込まれる配線コード５０ｂが図６（ｂ）に示すように切欠部１４に納められるようになる。このように配線コード５０ｂが切欠部１４に納められる際に、配線コード５０ｂは、図７に示すように、５０ｂ（１）、５０ｂ（２）、５０ｂ（３）の順に切欠部１４の奥方に移動する。配線コード５０ｂは、５０ｂ（３）の位置にて切欠部１４の斜面と端子仕切り板３３との間に挟持されると共に凹溝１６によって保持される。このように配線コード５０ｂが切欠部１４に納められる過程で、配線コード５０ｂの刃片電極部１５に接する被覆材５１の部分が刃片電極１５によって切裂かれ、被覆材５１内の導電材（芯線）５２が刃片電極１５に接触する。これにより、配線コード５０ｂが入力端子１０ｂに電気的に接続されることとなる。
【００２７】
ところで、オーディオ装置本体から延びる配線コードの先端には、専用のスピーカと接続するためのコネクタ部品が設けられている場合がある。また、このオーディオ装置本体に直接接続可能な専用のスピーカではなく、先端部の被覆材が剥かれた状態の配線コードを有する汎用スピーカを前述したネットワーク装置１００に接続して音楽等を聴きたいという要求がある。
【００２８】
このような場合、図８に示すように、オーディオ装置本体から延びる配線コード５０ａ、５０ｂが入力端子１０ａ、１０ｂに前述したように基台１１の切欠部１４に納められるようにして接続される。また、中・低音用のスピーカから延びる配線コード６０ａ、６０ｂの被覆材が剥かれた先端部が基台２１とネジ２３によって押え付けられる押え板２２とによって挟まれるようにして出力端子２０ａ、２０ｂに接続される。更に、高音用のスピーカから延びる配線コード７０ａ、７０ｂの被覆材が剥かれた先端部が基台２１とネジ２３によって押え付けられる押え板２２とによって挟まれるようにして出力端子２０ｃ、２０ｄに接続される。
【００２９】
オーディオ装置本体から延びる配線コード５０ａ、５０ｂの入力端子１０ａ、１０ｂへの接続について更に詳細に説明する。
【００３０】
入力端子１０ａ、１０ｂのネジ１３及び押え板１２が基台１１から取り外され、図９に示すように、配線コード５０ａ、５０ｂの先端に設けられたコネクタ部品５５がケース体１１０の入力端子１０ａ、１０ｂに隣接する領域に確保されたスペース１１２に配置される。そして、配線コード５０ａ、５０ｂが端子仕切り板３３を挟んで入力端子１０ａ、１０ｂの基台１１に形成された切欠部１４にセットされる。この状態で、各基台１１に押え板１２及びネジ１３が取付けられ、更に、ネジ１３を締め付けることにより、前述したように被覆材が切欠部１４の刃片電極１５（図７参照）によって切裂かれ、配線コード５０ａ、５０ｂが切欠部１４に納められた状態で入力端子１０ａ、１０ｂに接続される。その後、ケース体１１０のスペース１１２に形成された孔１１３ａ、１１３ｂにバンド１１４を通してケース体１１０の裏面にてバンド１１４の両端部を結ぶことによりコネクタ部品５５がケース体１１０のスペース１１２に固定される。
【００３１】
前述したようにしてオーディオ装置本体から延びる配線コード５０ａ、５０ｂが入力端子１０ａ、１０ｂに接続され、中・低音用のスピーカから延びる配線コード６０ａ、６０ｂ及び高音用のスピーカから延びる配線コード７０ａ、７０ｂが出力端子２０ａ、２０ｂ、２０ｃ、２０ｄに接続されると、オーディオ装置本体から配線コード５０ａ、５０ｂを通ってネットワーク装置１００に供給されるオーディオ信号が低音特性のオーディオ信号と高音特性のオーディオ信号としてそれぞれ配線コード６０ａ、６０ｂと配線コード７０ａ、７０ｂを通して中・高音用スピーカと高音用スピーカとに分配される。
【００３２】
前述した例では、入力端子１０ａ、１０ｂに被覆材が剥かれていない配線コード５０ａ、５０ｂを接続するものであったが、各入力端子１０ａ、１０ｂには図１０に示すように先端部の被覆材が剥かれた配線コード８０も接続することができる。この場合、出力端子２０ａ〜２０ｄの場合と同様に、配線コード８０の被覆材の剥かれた先端部分が基台１１における圧着面１１ａの切欠部１４が形成された部分以外の部分にセットされた状態で、ネジ１３によって押え板１２が基台１１に押し付けられる。これにより、配線コード８０の先端部分が基台１１に圧着固定される。
【００３３】
本発明の実施の形態に係る各入力端子１０ａ、１０ｂによれば、被覆材が剥かれていない配線コード５０ａ、５０ｂについては、その配線コード５０ａ、５０ｂを基台１１の切欠部１４にセットした状態で、また、先端部分の被覆材が既に剥かれて導電材の露出した配線コード８０については、その配線コード８０の先端部分を基台１１における圧着面１１ａの切欠部１４が形成された部分以外の部分にセットした状態で、それぞれネジ１３によって押え板１２を基台１１に押し付けることにより、入力端子１０ａ、１０ｂに接続が可能になるので、先端部分の被覆材が剥かれた配線コード８０及び被覆材が剥かれていない配線コード５０ａ、５０ｂのどちらについても特に加工することなく適切に接続することができるようになる。
【００３４】
また、本実施の形態に係るネットワーク装置１００によれば、入力端子１０ａ、１０ｂに被覆材が剥かれた配線コード及び被覆材が剥かれていない配線コードのいずれについても特に加工することなく接続することができるので、利便性の向上を図ることができる。
【００３５】
また、先端にコネクタ部品５５の設けられた配線コード５０ａ、５０ｂについても、そのコネクタ部品５５を取り外すことなく入力端子１０ａ、１０ｂにそのまま適切に接続することができるようになる。なお、この場合、入力端子１０ａ、１０ｂから配線コード５０ａ、５０ｂを取り外し、その配線コード５０ａ、５０ｂにおける被覆材の切裂かれた部分を絶縁テープ等にて補修することにより、その配線コード５０ａ、５０ｂをコネクタ部品５５によって専用のスピーカに接続することも可能である。
【００３６】
なお、前述した例では、切欠部１４が基台１１の端子仕切り板３３に隣接する端部に形成されるものであったが、切欠部１４は、基台１１の圧着面１１ａの任意の位置に形成することが可能である。
【産業上の利用可能性】
【００３７】
以上、説明したように、本発明は、先端部分の被覆材が剥かれたコード及び被覆材が剥かれていないコードのどちらについても特に加工することなく適切に接続することができるという効果を有し、配線コードが圧着される端子及びそのような端子を備えた機器として有用である。
【図面の簡単な説明】
【００３８】
【図１】本発明の実施の一形態に係る機器となるネットワーク装置の外観を示す平面図（ａ）及び側面図（ｂ）である。
【図２】図１に示すネットワーク装置のケース体の内部を示す平面図である。
【図３】図１に示すネットワーク装置における端子台の構成を示す図である。
【図４】図３に示す端子台における入力端子の構造を示す斜視図である。
【図５】図４におけるＡ部を詳細に示す斜視図である。
【図６】入力端子の切欠部に被覆材の剥かれていない配線コードをセットした状態を示す図（ａ）及びその配線コードが入力端子に接続された状態を示す図（ｂ）である。
【図７】入力端子の切欠部に被覆材の剥かれていない配線コードが納められる過程を詳細に示す図である。
【図８】各入力端子及び各出力端子に配線コードが接続された状態の端子台を示す図である。
【図９】先端にコネクタ部品が設けられた配線コードが各入力端子に接続され、各出力端子に中・低音用のスピーカ及び高音用スピーカから延びる配線コードが接続された状態のネットワーク装置を示す平面図である。
【図１０】入力端子に先端部の被覆材が剥かれた配線コードが接続された状態を示す図である。
【符号の説明】
【００３９】
１０ａ、１０ｂ  入力端子
１１  基台
１２  押え板
１３  ネジ
１４  切欠部
１５  刃片電極
１６  凹溝
２０ａ、２０ｂ、２０ｃ、２０ｄ  出力端子
３１、３２  端板
３３、３４、３５、３６、３７  端子仕切り板
５０ａ、５０ｂ  配線コード
５１  被覆材
５２  導電材
５５  コネクタ部品
６０ａ、６０ｂ  配線コード
７０ａ、７０ｂ  配線コード
８０  配線コード
１００  ネットワーク装置（機器）
１１０  ケース体
１１１  基板
１１２  スペース
１１３ａ、１１３ｂ  孔
１１４  バンド
１２０  蓋体
１３０  端子台
【図１】
2007165241.tif 000003
【図２】
2007165241.tif 000004
【図３】
2007165241.tif 000005
【図４】
2007165241.tif 000006
【図５】
2007165241.tif 000007
【図６】
2007165241.tif 000008
【図７】
2007165241.tif 000009
【図８】
2007165241.tif 000010
【図９】
2007165241.tif 000011
【図１０】
2007165241.tif 000012